(57)【要約】【課題】従来のプロジェクタ装置では、可動部の駆動により発生する振動がフィルタまで伝わり難く、振動の伝達効率が悪いために、塵埃を振るい落とす効率が悪いという問題があった。【解決手段】光源からの光により画像形成素子を照明して画像を被投射面に投射するプロジェクタ装置に関する。光源及び画像形成素子が収納されると共に空気を取り入れる吸気窓１５を有する装置筐体２と、装置筐体２の内部で吸気窓１５の内側に配設されると共に空気中から塵埃を捕捉するフィルタ装置４と、を備えている。フィルタ装置４は、空気中の塵埃１４を吸着するフィルタ部材１７と、フィルタ部材が取り付けられる枠部材１８と、枠部材を振動させることによりフィルタ部材１７を振動させて吸着した塵埃１４を振るい落とす振動子１９と、を有している。振動子１９を、枠部材１８の略中央部に固定して設けた。【選択図】図４
2011170270.tif 000002
【特許請求の範囲】
【請求項１】
光源からの光により画像形成素子を照明して画像を被投射面に投射するプロジェクタ装置であって、
前記光源及び前記画像形成素子が収納されると共に空気を取り入れる吸気窓を有する装置筐体と、
前記装置筐体の内部で前記吸気窓の内側に配設されると共に空気中から塵埃を捕捉するフィルタ装置と、を備え、
前記フィルタ装置は、空気中の塵埃を吸着するフィルタ部材と、前記フィルタ部材が取り付けられる枠部材と、前記枠部材を振動させることにより前記フィルタ部材を振動させて吸着した塵埃を振るい落とす振動子と、を有し、
前記振動子は、前記枠部材の略中央部に固定して設けた
プロジェクタ装置。
【請求項２】
前記振動子は、前記枠部材に固定された電動モータと、前記電動モータの回転軸に取り付けられたバランスウエイトと、を有し、
前記回転軸に前記バランスウエイトを偏心させて取り付けた
請求項１記載のプロジェクタ装置。
【請求項３】
前記バランスウエイトの偏心方向を、前記フィルタ部材の面方向に対して垂直方向に設定した
請求項２記載のプロジェクタ装置。
【請求項４】
前記枠部材は、方形とされた枠体部と、前記枠体部の対角線方向に延在されたＸ字状の補強部と、を有し、
前記補強部の略中央部に前記振動子を固定した
請求項１記載のプロジェクタ装置。
【請求項５】
前記フィルタ装置の近傍に、前記フィルタ装置の振動により前記フィルタ部材から振るい落とされた塵埃を収容する塵埃受部を設けた
請求項１記載のプロジェクタ装置。
【発明の詳細な説明】
【技術分野】
【０００１】
本発明は、液晶パネルやブラウン管等で作られた小型の表示装置の画像を、光学的に拡大して被投射面（スクリーン）に投射することで大画面を表示するプロジェクタ装置に関する。特に、照明光を放出する発光管（光源）等を冷却するために取り入れた空気中から吸着した塵埃を、フィルタ部材を振動させて振るい落とすことにより、塵埃除去効果を長期間に亘って維持することが可能なプロジェクタ装置に関する。
【背景技術】
【０００２】
従来の、この種のプロジェクタ装置としては、例えば、特許文献１に記載されているようなものがある。特許文献１には、電子機器の筐体内へ外気を吸入するファンと、塵埃の侵入を防ぐフィルタとを備えた電子機器に関するものが記載されている。この特許文献１に記載された電子機器は、外装を構成する筐体と、筐体に設置される開口部と、ファンと、フィルタと、フィルタ保持部材と、可動部とを備えている。ファンは、開口部を介して、正回転動作により外気を筐体内部に吸入し、逆回転動作により筐体内部の空気を電子機器の外部へ排気する。フィルタは、フィルタ保持部材によって保持され、開口部とファンとの間に配置されて、塵埃の筐体内部への侵入を防止する。可動部は、ファンの逆回転動作に連動してフィルタ部材を可動させる、ことを特徴としている。
【０００３】
この特許文献１に記載された電子機器（以下、「第１の従来例」という。）によれば、ファンは、逆回転動作により筐体内部の空気を電子機器の外部へ排出する。これにより、フィルタに付着した塵埃を吹き飛ばして除去する（特許文献１の段落［０００７］）等の効果が期待される。
【０００４】
また、従来のプロジェクタ装置の他の例としては、例えば、特許文献２に記載されているようなものもある。特許文献２には、エアフィルタを長くせずに清掃が行える構造を備えたプロジェクタに関するものが記載されている。このプロジェクタは、光源装置と、光源装置から射出された光束を画像情報に応じて変調して光学像を形成する光変調装置と、光学像を投写する投写光学装置と、光源装置等を収容し且つ冷却用に外気を導入する開口部が形成された外装筐体とを有している。更に、開口部から導入される外気に含まれる塵埃を除去し、シート状で回動可能に掛け渡されたエアフィルタと、テープ状で外面側に粘着層を向け、ロール状に巻回された粘着部材とを備えている。粘着部材は、粘着層をエアフィルタの表面に当接しながら巻き取ることにより、エアフィルタの表面に吸着した塵埃を粘着層に付着させる、ことを特徴としている。
【０００５】
この特許文献２に記載されたプロジェクタ（以下、「第２の従来例」という。）によれば、エアフィルタの表面に吸着した塵埃を除去（清掃）することができ、エアフィルタを繰り返し使用できる（特許文献２の段落［００１０］）等の効果が期待される。
【先行技術文献】
【特許文献】
【０００６】
【特許文献１】特開２００８−６０１０８号公報
【特許文献２】特開２００９−２１７１０５号公報
【０００７】
しかしながら、上述した第１の従来例の場合には、フィルタとフィルタ保持部材と可動部（振動素子）とを備えているが、フィルタ保持部材の外端に可動部を取り付ける構造となっていた。そのため、可動部の駆動により発生する振動がフィルタまで伝わり難く、振動の伝達効率が悪いことから、塵埃を振るい落とす効率が悪いという問題があった。また、上述した第２の従来例の場合には、粘着層をエアフィルタの表面に当接しながら巻き取る構造であり、空気中の塵埃を除去するという発明の目的を共通にするが、その目的を達成するための手段である構成を異にする別発明である。
【発明の概要】
【発明が解決しようとする課題】
【０００８】
解決しようとする問題点は、従来のプロジェクタ装置では、可動部の駆動により発生する振動がフィルタまで伝わり難く、振動の伝達効率が悪いために、塵埃を振るい落とす効率が悪いという点である。
【課題を解決するための手段】
【０００９】
本発明のプロジェクタ装置は、光源からの光により画像形成素子を照明して画像を被投射面に投射するプロジェクタ装置である。光源及び画像形成素子が収納されると共に空気を取り入れる吸気窓を有する装置筐体と、その装置筐体の内部で吸気窓の内側に配設されると共に空気中から塵埃を捕捉するフィルタ装置と、を備えている。フィルタ装置は、空気中の塵埃を吸着するフィルタ部材と、フィルタ部材が取り付けられる枠部材と、枠部材を振動させることによりフィルタ部材を振動させて吸着した塵埃を振るい落とす振動子とを有し、その振動子を枠部材の略中央部に固定して設けた。
【発明の効果】
【００１０】
本発明のプロジェクタ装置によれば、枠部材の略中央部に振動子が固定されているため、振動子の駆動により発生する振動をフィルタ部材に効率よく伝達することができる。これにより、フィルタ部材を大きく振動させて、フィルタ部材に吸着された塵埃を確実に振るい落とすことができる。
【図面の簡単な説明】
【００１１】
【図１】本発明のプロジェクタ装置の実施の形態の一例を示す正面側から見た斜視図である。
【図２】本発明のプロジェクタ装置の実施の形態の一例を示すもので、装置筐体を透かしてフィルタ装置を現した斜視図である。
【図３】本発明のプロジェクタ装置に係るフィルタ装置の実施の形態の第１の例を示すもので、正面側から見た斜視図である。
【図４】本発明のプロジェクタ装置に係るフィルタ装置の枠部材と振動子の形態の一例を示す背面側から見た斜視図である。
【図５】本発明のプロジェクタ装置に係るフィルタ装置の実施の形態の第１の例を示すもので、一部を省略して冷却ファンに搭載した状態を背面側から見た斜視図である。
【図６】本発明のプロジェクタ装置に係るフィルタ装置の実施の形態の第１の例を示すもので、冷却ファンに搭載した状態を現した側面図である。
【図７】本発明のプロジェクタ装置に係るフィルタ装置の実施の形態の第１の例を示すもので、冷却ファン及びダクト部材との位置関係を現した斜視図である。
【図８】本発明のプロジェクタ装置に係るフィルタ装置の実施の形態の第２の例を示すもので、正面側から見た斜視図である。
【図９】本発明のプロジェクタ装置に係るフィルタ装置の実施の形態の第２の例を説明する正面図である。
【図１０】本発明のプロジェクタ装置に係るフィルタ装置の実施の形態の第３の例を示すもので、正面側から見た斜視図である。
【図１１】本発明のプロジェクタ装置に係るフィルタ装置の原理の概略を説明する説明図である。
【発明を実施するための形態】
【００１２】
フィルタ装置の枠部材の略中央部に振動子を固定し、その振動子で枠部材を振動させて、フィルタ部材を強く振動させる構成とした。そのため、フィルタ部材に吸着された塵埃を確実に振るい落とすことができるフィルタ装置を備えたプロジェクタ装置を、比較的簡単な構成によって実現した。
【実施例】
【００１３】
図１及び図２は、本発明のプロジェクタ装置（画像投射装置）の実施の形態の一例を示すものである。このプロジェクタ装置１は、外装ケースを構成する装置筐体２と、この装置筐体２内に収納されるレンズ装置３と、フィルタ装置４と、冷却ファン６と、図示しない色分離光学装置と、照明装置と、排気ファン等を備えている。
【００１４】
図１及び図２に示すように、装置筐体２は、上下に重ね合わされる上部筐体８と下部筐体９とからなり、両筐体８，９が上下に重ね合わされた状態で、図示しない固定ねじによって締付固定されている。装置筐体２の正面の中央部には、レンズ装置３のスクリーンに対向されるレンズ１１が露出されている。更に、装置筐体２の正面には、電源スイッチ、音量スイッチ、モード切替スイッチ等の複数の操作スイッチ１２と、外部装置と電気的に接続するためのコネクタやプラグ等の複数の接続端子１３が配設されている。
【００１５】
上部筐体８の側面の一方には、外部の空気を装置筐体２内に取り入れるための吸気窓１５が設けられている。吸気窓１５は、上部筐体８の側面において、前後方向に長く延在された複数の長穴の集合によって形成されている。また、上部筐体８の他方の側面には、内部の空気を装置筐体２外に排出するための排気窓１６が設けられている。排気窓１６は、上部筐体８の側面において、前後方向の中途部から後方に延在された複数の長穴の集合によって形成されている。しかしながら、吸気窓１５及び排気窓１６は、このような長穴構造に限定されるものではなく、例えば、円形や方形その他の形状の多数の穴を、整列させ或いはランダムに配置する構成としてもよい。更に、開口部の内側に金網状の部材を取り付ける構造としてもよく、また、その他の構造を用いることもできる。
【００１６】
図２に示すように、装置筐体２の内部には、レンズ装置３と、フィルタ装置４と、冷却ファン６と、図示しない色分離光学装置と、照明装置と、排気ファンと、電源ユニットと、制御装置等が所定位置に配置されて収容されている。レンズ装置３は、レンズ系の光軸を前後方向に延在させた状態で装置筐体２の前側中央部に配設されており、その先端部が、装置筐体２の正面に設けた貫通穴から前方へ突出されている。このレンズ装置３の背面側に、図示しない色分離光学装置が配設され、その色分離光学装置の背面側の一側に照明装置が配設され、背面側の他側に冷却ファン６が配設されている。そして、装置筐体２内の排気窓１６の内側に排気ファンが配設されている。
【００１７】
レンズ装置３は、図示しないが、複数のレンズと、これらのレンズが取り付けられた複数のレンズ環等を有している。レンズ環を回転操作して１又は２以上のレンズを光軸方向へ移動することにより、レンズ装置３の焦点をスクリーン上に合わせることができる。色分離光学装置は、照明装置からの光束を平行光束に変換する偏光変換素子と、平行光束を赤、緑、青の各色光束Ｒ、Ｇ、Ｂに分解して変調する画像形成素子としての３枚の液晶パネルと、変調された色光束を合成するプリズム合成体等を備えている。電源ユニットは、色分離光学装置と照明装置と冷却ファン６等に電力を供給する。制御装置は、照明装置の光源である発光管を点灯制御すると共に、液晶パネルを駆動制御し、更に、その他の装置・機器の制御も行う。
【００１８】
照明装置が照明光を放出し、その照明光を色分離光学装置に通過させることにより、図示しないスクリーン（被投射面）に画像を拡大して投射することができる。照明装置は、照明光を放出する光源としての発光管と、発光管の周囲を覆い且つ発光管から放出された照明光を前方に反射させるリフレクタと、リフレクタが収納されるランプハウジング等を備えている。発光管としては、例えば、高圧水銀ランプ、キセノンランプ、メタルハライドランプ、ハロゲンランプ等を用いることができる。
【００１９】
フィルタ装置４は、吸気窓１５から導入された空気の中に含まれている塵埃を除去し、クリーンな空気を照明装置の光源（発光管）やその他の装置・機器に供給する。図１１に、フィルタ装置４の原理の概略を示している。フィルタ装置４は、空気中の塵埃１４を吸着するフィルタ部材１７と、フィルタ部材１７を固定支持する枠部材１８と、枠部材１８を振動させることによりフィルタ部材１７を振動させる振動子１９と、振るい落とされた塵埃を受ける塵埃受部２１等を有している。
【００２０】
フィルタ装置４には冷却ファン６が隣接させて配設されており、冷却ファン６を駆動することにより、装置筐体２内の気圧が装置筐体２外の気圧よりも低くなる。これにより、装置筐体２内外の気圧差によって筐体外の空気が筐体内に移動し、その間に設置されたフィルタ部材１７により、空気中に含まれている塵埃が吸着され、クリーンな空気が冷却ファン６に供給される。この場合、振動子１９を駆動して枠部材１８を振動させ、フィルタ部材１７を振動することにより、フィルタ部材１７に吸着されている塵埃１４を剥離させて振るい落とすことができる。そして、振るい落とされた塵埃を塵埃受部２１で受けることにより、事後の塵埃の処理を容易にすることができる。
【００２１】
このような機能を発揮することができるフィルタ装置４は、図３〜図５に示すような構成を有している。フィルタ装置４は、フィルタ部材１７と、枠部材１８と、振動子１９と、枠部材１８が装着されるホルダ２２と、このホルダ２２が装着されるハウジング２３等を有している。即ち、フィルタ部材１７と振動子１９が枠部材１８に取り付けられ、振動子１９等が組み立てられた枠部材１８がホルダ２２に組み立てられ、そのホルダ２２をハウジング２３に組み立てることによってフィルタ装置４が構成されている。
【００２２】
枠部材１８は、図４に示すような構成を有している。即ち、枠部材１８は、横長の四角形とされた外枠部２５と、この外枠部２５の対角線方向に延在されたリブ部２６と、このリブ部２６の中央に設けられたベース部２７とを有している。ベース部２７は、枠部材１８の一面側に開口された箱状の部分からなり、外枠部２５と連結されたリブ状の補強部２８を有している。ベース部２７の凹部２９内には、振動子１９の一具体例を示す電動モータ（回転駆動式モータ）が収納されている。枠部材１８の材質としては、例えば、ＡＢＳ（アクリロニトリル・ブタジエン・スチレン樹脂）やＰＯＭ（ポリアセタール）その他の樹脂材料は勿論のこと、アルミニウム合金、ステンレス、スチール等の金属、その他の材料を用いることができる。
【００２３】
電動モータ１９は、回転軸３１を外枠部２５の面方向と平行をなすよう上方へ向けた状態で、図示しない固定ねじによりベース部２７に固定されている。電動モータ１９の回転軸３１には、円板状のはずみ車３２が所定量だけ偏心させた状態で取り付けられている。この電動モータ１９をベース部２７に固定することにより、振動子が枠部材１８の略中央部に固定される。また、はずみ車３２を偏心させて回転軸３１に固定することにより、電動モータ１９の駆動時に、はずみ車３２の偏心に基づく振動を発生させることができる。この場合、電動モータ１９による振動の方向を、フィルタ部材１７の面方向に対して垂直方向となるように設定することが好ましい。このように設定した場合には、電動モータ１９による振動を、最も効率よく且つ強い状態で枠部材１８に伝達することができる。
【００２４】
この枠部材１８の外枠部２５とリブ部２６に、外枠部２５と同程度の大きさを有するシート状のフィルタ部材１７が、接着剤やビスその他の固定手段によって固定されている。従って、フィルタ部材１７は、外枠部２５の内側に設定された開口部の全面を覆っている。フィルタ部材１７としては、例えば、目的の大きさを有する塵埃を捕捉可能な多数の微細な網目を有する金属メッシュが好適である。しかしながら、フィルタ部材１７としては、金属メッシュに限定されるものではなく、樹脂製メッシュ、ウレタンフォーム、静電フィルタ等のように、空気中の微細な塵埃を捕捉可能な各種の材料を用いることができる。
【００２５】
図４に示すように、ホルダ２２は、枠部材１８を収容することができる大きさを有する奥行きのある箱状の部材として構成されている。ホルダ２２の前後に対向する２面は共に大きく開口されており、前面側の開口部には枠部材１８が装着されている。更に、ホルダ２２の前面には外向きのフランジ部２２ａが設けられている。このフランジ部２２ａは、ハウジング２３に対するホルダ２２の位置決めをなすもので、ホルダ２２が所定以上に深く差し込まれるのを防止している。
【００２６】
図３及び図５に示すように、ハウジング２３は、ホルダ２２を冷却ファン６の上に配設するための部材であり、内部に空気が流通される空気流路を構成している。ハウジング２３は、正面部２３ａと、この正面部２３ａの背面側に連続された筒体部２３ｂと、この筒体部２３ｂの背面側を閉じる背面部２３ｃとを有している。ハウジング２３の正面部２３ａには、ホルダ２２が着脱可能に装着される吸気側開口部が設けられている。ハウジング２３の背面部２３ｃは適当な角度だけ傾斜されており、フィルタ部材１７を通過した空気を９０度方向変換させて排気側開口部に導くようにしている。ハウジング２３の排気側開口部は筒体部２３ｂの下面に設けられており、その排気側開口部には冷却ファン６の吸気口３７が連通される。
【００２７】
図２，図３及び図５〜図７に示すように、フィルタ装置４は、装置筐体２内の吸気窓１５の内側に配設されている。このフィルタ装置４の下に冷却ファン６が、吸気口３７を上に向けると共に排気口３８を装置筐体２の内側に向けた状態で配設されている。図示しないが、冷却ファン６は下部筐体９にねじ止めされ、この冷却ファン６の上にフィルタ装置４がねじ止めされている。冷却ファン６としては、この実施例ではシロッコファンを用いている。
【００２８】
冷却ファン６は、図示しないが、ファンケースと、このファンケース内に収納されている電動モータと、この電動モータの回転部に設けられている羽根車とを有している。冷却ファン６は、所定の間隔をあけて互いに平行に設けられた正面部及び背面部と、これら正面部及び背面部の周囲を囲うように設けられた周面部とを有している。正面部の中央には、直径の大きな円形の吸気口３７が設けられている。そして、周面部の１箇所で、正面部と直交する部分に排気口３８が設けられている。
【００２９】
冷却ファン６のファンケースの背面部の内側に電動モータの固定部が固定され、その電動モータの回転部に羽根車が設けられている。羽根車は、その正面側が吸気口３７に対向され、その側面部が排気口３８に対向されている。この電動モータを駆動すると、ファンケースの正面部と背面部の間に介在された羽根車が回転駆動され、これによりファンケースの内部に負圧が発生する。このファンケース内に発生する負圧によって外部の空気が吸気口３７から吸い込まれ、羽根車の回転により９０度方向変換されて、加圧された状態で吸気方向と垂直をなす接線方向に移動して、加圧された空気が排気口３８から吐出される。
【００３０】
図２及び図７に示すように、冷却ファン６の排気口３８にはダクト部材３５の一端に設けた連通口４１が対向するように配設されている。ダクト部材３５は、２台のフィルタ装置４を横並びに配設した場合に使用されるもので、図２においては、１台のフィルタ装置４の図示を省略している。従って、この実施例では、２台のフィルタ装置４を使用して、吸気した空気から塵埃を除去してクリーンにすると共に、そのクリーンな空気をダクト部材３５で特定部分に集め、その特定部分に大量のクリーンな空気を供給できるように構成している。しかしながら、フィルタ装置４は、１台のみで使用できることは勿論のこと、３台以上を配設する構成とできることも勿論である。
【００３１】
ダクト部材３５は、２台の冷却ファン６の排気口３８と特定部分とを連通するＶ字形状に形成された筒状の部材からなっている。ダクト部材３５の分岐部の各先端部に連通口４１が設けられ、２つの分岐部が合流する基部に、複数の吐出口４２が設けられている。複数の吐出口４２は、図示しないが、照明装置の光源（発光管）と色分離光学装置の色分離部（液晶パネル等）とに臨むように構成されている。
【００３２】
このような構成を有するプロジェクタ装置１の作用は、例えば、次の通りである。電源ユニットをオンすることにより、照明装置に電力を供給して発光管に通電すると、発光管が照明光を放出する。この発光管から放出された照明光が色分離光学装置を経てレンズ装置３を透過することにより、スクリーン上に所定の大きさに拡大された画像が映し出される。これにより、所望の画像を大きく拡大して、スクリーン上に映し出して見ることができる。
【００３３】
この際、照明光の放出によって発光管から熱が放出され、リフレクタ内の空間部の空気が熱せられる。このリフレクタ内の温度上昇と、自ら放出する熱により、発光管自体が高温になる。この場合、発光管が異常に高温になると、発光管のガラス管に白濁や変形等を生じ、画像が見え難くなったり、全く見えなくなるおそれがある。また、色分離部が異常に高温になると、色が鮮明でなくなる等の弊害が生じる。そのため、発光管等が異常に高温になるのを防止するよう、発光管等の温度を下げる必要がある。そこで、冷却ファン６を作動させて空気を照明装置や色分離光学装置等に導入し、発光管等の温度を下げることが行われる。
【００３４】
本実施例の場合、冷却ファン６を動作させると、冷却ファン６の吸引力によってフィルタ装置４の、装置筐体２内側の気圧が装置筐体２外側の気圧よりも低くなる。この装置筐体２内外の気圧差によって装置筐体２外の空気が吸気窓１５から装置筐体２内に入り込む。その空気がフィルタ装置４のフィルタ部材１７を通過する際に、その空気中に含まれている塵埃がフィルタ部材１７に吸着される。その結果、フィルタ部材１７によって塵埃が取り除かれたクリーンな空気が冷却ファン６に供給され、そのクリーンな空気が照明装置や色分離光学装置等に供給されて、それらの冷却に供される。
【００３５】
この場合、冷却ファン６による空気の吸引は連続して行われるため、フィルタ部材１７には逐次的に塵埃が蓄積されることになる。これに対して、本実施例では、冷却ファン６による空気の吸引と同時に振動子である電動モータ１９が駆動され、フィルタ部材１７に付着した塵埃１４の振るい落とし作業が、空気の吸引作業に並行して行われる。即ち、冷却ファン６の作動に連動するよう電動モータ１９が作動され、これにより振動が発生する。この電動モータ１９の振動が、枠部材１８を介してフィルタ部材１７に伝達され、フィルタ部材１７が同様に振動する。
【００３６】
その結果、フィルタ部材１７の振動によって当該フィルタ部材１７に吸着されている塵埃１４が振るい落とされ、吸着面から剥離されて自重により落下する。そのため、冷却ファン６に連動させて常に電動モータ１９を駆動させることにより、フィルタ部材１７で空気中の塵埃を捕捉した後、その塵埃を直ちにフィルタ部材１７から剥離することができる。従って、フィルタ部材１７の吸着面を、常に目詰まりのないクリーンな状態に維持することができると共に、塵埃の除去効率を高めることができる。
【００３７】
特に、本実施例の場合には、枠部材１８の中央部に振動子（電動モータ１９）を配置すると共に、電動モータ１９の振動方向をフィルタ部材１７の面方向と垂直をなす方向に設定する構成とした。そのため、枠部材１８に対して大きな振動を付与することが可能となり、比較的出力の小さな電動モータを使用した場合にも、枠部材１８を大きく動かして、塵埃の振り落とし効果を向上させることが可能となった。
【００３８】
なお、枠部材１８と振動子（電動モータ１９）の間に、ダンパー等のクッション材を介在させる構成としてもよく、また、クッション材を介在させない構成としてもよい。また、振動子を複数個設けることにより、振動子間で共振させて振幅を増大させ、塵埃を落し易くすることができる。
【００３９】
図８及び図９は、フィルタ装置の第２の実施の形態の例を示すものである。このフィルタ装置５０は、フィルタ部材１７を振動させて振るい落とした塵埃を集めて処理する塵埃排出処理部５１を設けたものである。塵埃排出処理部５１以外の枠部材１８や振動子等は前記実施例と同様であるため、ここでは同一部分に同一の符号を付して、重複した説明を省略する。
【００４０】
塵埃排出処理部５１は、収集ダクト５２と、この収集ダクト５２に取り付けた収集ファン５３等を有している。収集ファン５３は、収集ダクト５２に設けたファン取付部５４に取り付けられている。収集ダクト５２は、ホルダ２２の前面に設けた長方形で幅広の枠状をなすフード部５５を有しており、このフード部５５の外側に、振るい落とした塵埃を収集ファン５３に導く風路が形成されている。収集ダクト５２は、左右の側方に突出するように形成された側面部５６ａ，５６ｂと、下方に突出するように形成された下面部５６ｃとを有しており、その内部は仕切りなく連通されている。
【００４１】
収集ダクト５２の側面部５６ａ，５６ｂ及び下面部５６ｃには、フード部５５に開口を設けることによって側部吸引口５７と下部吸引口５８が設けられている。吸引口は、少なくとも１つあればよく、その場合、下面部５６ｃに下部吸引口５８を設ける形態とすることが好ましい。しかしながら、この形態に限定されるものではなく、側面部の一方又は両方に吸引口を設ける形態としてもよい。
【００４２】
ファン取付部５４は、収集ダクト５２の下面部５６ｃの一方の側部に設けられている。ファン取付部５４は、半円形の突出部として形成されている。このファン取付部５４の下部に、収集ファン５３が取り付けられている。収集ファン５３としては、例えば、ターボ、回転ブロワ、渦流ブロワ等のブロワファンが好適である。しかしながら、これに限定されるものではなく、他の形式のブロワを用いることができることは勿論である。収集ファン５３は、吸気口をファン取付部５４の下面に臨ませると共に、排気口５９をハウジング２３の側方へ開口させた状態でファン取付部５４に固定されている。
【００４３】
このような構成を有する塵埃排出処理部５１を備えたフィルタ装置５０によれば、振動子を駆動してフィルタ部材１７を振動させることにより、フィルタ部材１７から振るい落とされた塵埃が、側部吸引口５７と下部吸引口５８から収集ダクト５２内に入り込む。即ち、収集ダクト５２による吸引力が側部吸引口５７と下部吸引口５８からフィルタ部材１７の前面側に作用するため、その吸引力で塵埃が近くの吸引口５７，５８に吸引され、或いは、自重等で落下して下部吸引口５８に入り込む。その塵埃は、収集ダクト５２の内部を通って収集ファン５３に至り、更に、収集ファン５３により加圧されて排気口５９から外部に排出される。
【００４４】
このような塵埃排出処理部５１を設けて、フィルタ部材１７から振るい落とされた塵埃を処理することにより、その塵埃が再び吸引されて再度フィルタ部材１７によって捕捉され、同様の塵埃除去処理が繰り返されるのを防ぐことができる。なお、塵埃の処理は、収集ファン５３によって塵埃を側方へ排出することでもよいが、例えば、排気口５９の先に別途塵埃収集器（例えば、ゴミ箱のようなもの。）を設け、その塵埃収集器に塵埃を収集する構成としてもよい。
【００４５】
図１０は、フィルタ装置の第３の実施の形態の例を示すものである。このフィルタ装置６０は、フィルタ部材１７を振動させて振るい落とした塵埃を集めて処理する塵埃収集処理部６１を設けたものである。塵埃収集処理部６１以外の枠部材１８や振動子等は前記実施例と同様であるため、ここでは同一部分に同一の符号を付して、重複した説明を省略する。
【００４６】
塵埃収集処理部６１は、収集フード６２と、この収集フード６２の下部に取り付けた収集容器６３等を有している。収集フード６２は、ホルダ２２の前面に設けた長方形で幅広の枠形状をなしている。この収集フード６２の下部に、振るい落とした塵埃を受け取って収集する収集容器６３が設けられている。収集容器６３は、上面に開口された樋状の容器体からなり、収集フード６２の下面部に取り付けられている。収集容器６３は、収集フード６２に対して着脱可能に構成することが好ましい。しかしながら、収集容器６３と収集フード６２を一体に設ける構成とすることもできる。収集容器６３の開口部は枠部材１８に沿って延在されており、枠部材１８の長手方向の長さよりも長く設定されている。このように、収集容器６３の開口部を、枠部材１８の長手方向の全長よりも長く設定することにより、枠部材１８の全長に渡って塵埃を収集することができる。
【００４７】
このような構成を有する塵埃収集処理部６１を備えたフィルタ装置６０によれば、振動子を駆動してフィルタ部材１７を振動させることにより、フィルタ部材１７から振るい落とされた塵埃が、自重により落下して開口部から収集容器６３内に入り込む。これにより、フィルタ部材１７から振るい落とされた塵埃を集めて廃棄等の処理を行うことができる。この際、収集容器６３を収集フード６２に対して取り外し可能に構成しておくことにより、溜まった塵埃を使用者が廃棄処理することができる。また、収集容器６３の底に塵埃吸着材（例えば、両面テープ、粘着剤等）を設置しておくことにより、塵埃を溜まり易くすることができる。
【００４８】
以上説明したが、本発明は前記実施例に限定されるものではなく、本発明の要旨を逸脱しない範囲内で各種の変形実施が可能である。例えば、前記実施例では、振動子として回転駆動式モータを適用した例について説明したが、往復駆動式モータを用いる構成とすることもできる。また、冷却ファン６としてシロッコファンを用いた例について説明したが、シロッコファンに限定されるものではなく、その他の形式の遠心送風機を用いることができることは勿論のこと、軸流ファンや斜流ファン等であってもよい。
【符号の説明】
【００４９】
１…プロジェクタ装置（画像投射装置）、  ２…装置筐体、  ３…レンズ装置、  ４，５０，６０…フィルタ装置、  ６…冷却ファン、  ８…上部筐体、  ９…下部筐体、  １４…塵埃、  １５…吸気窓、  １６…排気窓、  １７…フィルタ部材、  １８…枠部材、  １９…振動子（電動モータ）、  ２２…ホルダ、  ２３…ハウジング、  ２５…外枠部、  ２６…リブ部、  ２７…ベース部、  ３２…はずみ車、  ３５…ダクト部材、  ３７…吸気口、  ３８…排気口、  ４１…連通口、  ４２…吐出口、  ５１…塵埃排出処理部（塵埃受部）、  ５２…収集ダクト、  ５３…収集ファン、  ５４…ファン取付部、  ５５…フード部、  ５７，５８…吸引口、  ５９…排気口、  ６１…塵埃収集処理部（塵埃受部）、  ６２…収集フード、６３…収集容器
【図１】
2011170270.tif 000003
【図２】
2011170270.tif 000004
【図３】
2011170270.tif 000005
【図４】
2011170270.tif 000006
【図５】
2011170270.tif 000007
【図６】
2011170270.tif 000008
【図７】
2011170270.tif 000009
【図８】
2011170270.tif 000010
【図９】
2011170270.tif 000011
【図１０】
2011170270.tif 000012
【図１１】
2011170270.tif 000013